(57)【要約】      （修正有）【課題】容易に引き裂くことができる液体等収納袋に関し、液体等注出部に向けて折線上に穿設したノッチ又は小孔を設けたことにより、ノッチ又は小孔から引き裂いて容易に注出できる易引裂性の液体等収納袋を提供する。【解決手段】２枚の可撓性シート２の外周辺又は１枚の可撓性シート２を折曲させて他の外周辺の若干巾を溶着した溶着部３の内方に液体等を収納する液体等収納部４を設けた液体等収納袋１であって、液体等収納部４の少なくとも一箇所に膨出させた液体等注出部４ａを設けると共に、液体等収納袋１の隣り合う２辺の間の溶着部３に折線５を形成し、折線５とクロスさせて液体等注出部４ａに向かったノッチ６を穿設したものであり、ノッチ６に代えて折線５上に小孔６ａを穿設したものであり、液体等収納袋１に立てて載置するための底部を設けたスタンディングパウチとした。【選択図】図１
2007153350.tif 000002
【特許請求の範囲】
【請求項１】
２枚の可撓性シートの外周辺の若干巾を溶着した溶着部の内方に液体等を収納する液体等収納部を設けた液体等収納袋であって、前記液体等収納部の少なくとも一箇所に膨出させた液体等注出部を設けると共に、前記液体等収納袋の隣り合う２辺の間の前記溶着部に折線を形成し、該折線とクロスさせて前記液体等注出部に向かったノッチを穿設したことを特徴とする易引裂性の液体等収納袋。
【請求項２】
１枚の可撓性シートを折曲させて他の外周辺の若干巾を溶着した溶着部の内方に液体等を収納する液体等収納部を設けた液体等収納袋であって、前記液体等収納部の少なくとも一箇所に膨出させた液体等注出部を設けると共に、前記液体等収納袋の隣り合う２辺の間の前記溶着部に折線を形成し、該折線とクロスさせて前記液体等注出部に向かったノッチを穿設したことを特徴とする易引裂性の液体等収納袋。
【請求項３】
前記ノッチに代えて折線上に小孔を穿設したことを特徴とする請求項１又は請求項２に記載の易引裂性の液体等収納袋。
【請求項４】
前記液体等収納袋に立てて載置するための底部を設けたスタンディングパウチとしたことを特徴とする請求項１乃至請求項３に記載の易引裂性の液体等収納袋。
【発明の詳細な説明】
【技術分野】
【０００１】
本発明は、容易に引き裂くことができる液体等収納袋に関するものであり、更に詳細には、液体等注出部に向けて折線上に穿設したノッチ又は小孔を設けたことにより、ノッチ又は小孔から引き裂いて容易に注出できる易引裂性の液体等収納袋に関するものである。
【背景技術】
【０００２】
この種の醤油、ソース等の液体調味料、バター、マーガリン、マヨネーズ等の粘性を有する粘性食品、シャンプー、洗剤、化粧品等の液体や粘性を有する液体、胡椒、塩、粉状の入浴剤等の粉体、粒体を収納して、必要なときに一部を引き裂いて注出するワンウェイの液体等収納袋は各種開発され多方面で使用されている。
【０００３】
従来、一般的には液体等収納袋の外周縁にくの字状の切り込みを入れて、その切り込みから引き裂いていたが、近年では、液体等収納袋の外周縁に極微細な切り込みを連続して多数形成して、何処からでも引き裂ける液体等収納袋も開発されている。
【０００４】
また、先に開示されている、上下二層によるビニル材により上層部ビニル材と下層部ビニル材との間に極薄のプラスチック樹脂材を挿入し、当該プラスチック材は一定部位が撓折することにより内容物が取り出されるよう施し、上下層ビニル材がプラスチック材を挟むよう接着される際に、取り出し口用に一部突出した形を呈した調味料液体等を内包する部分として造られる空洞部を、上層部ビニル材の下面とプラスチック材上面との間に施し、前記屈折される一定部位は前記空洞部の取り出し口部分でプラスチック材が撓折するよう切れ目を施すことで、当該突出空洞部位のみより内容物を排出可能とするもの（特許文献１参照）がある。
【特許文献１】特開平１０−１９４３３３号公報（図７）
【発明の開示】
【発明が解決しようとする課題】
【０００５】
然し乍ら、従来の液体等収納袋の外周縁にく字状の切り込みを入れて、その切り込みから引き裂いて注出するものや、極微細な切り込みを連続して多数形成して液体等収納袋を引き裂いて注出するものでは、幼い子供が悪戯で引き裂いてしまうことが屡々あり、また、上下二層によるビニル材の間に極薄のプラスチック樹脂材を挿入し、当該プラスチック材は一定部位が撓折することにより内容物が取り出されるよう施したものでは、液体等収納袋を製造するときに極薄のプラスチック樹脂材を挿入しなければ成らず、パーツの数が増えることからコスト高と成ると共に、不用意に折って注出される虞れもあるものである。
【課題を解決するための手段】
【０００６】
本発明は、前述の課題に鑑み、鋭意研鑽の結果、請求項１に記載の易引裂性の液体等収納袋は、２枚の可撓性シートの外周辺の若干巾を溶着した溶着部の内方に液体等を収納する液体等収納部を設けた液体等収納袋であって、液体等収納部の少なくとも一箇所に膨出させた液体等注出部を設けると共に、液体等収納袋の隣り合う２辺の間の溶着部に折線を形成し、折線とクロスさせて液体等注出部に向かったノッチを穿設したものである。
【０００７】
更に、請求項２に記載の易引裂性の液体等収納袋は、外周辺の若干巾を溶着した溶着部の内方に液体等を収納する液体等収納部を設けた液体等収納袋であって、液体等収納部の少なくとも一箇所に膨出させた液体等注出部を設けると共に、液体等収納袋の隣り合う２辺の間の溶着部に折線を形成し、折線とクロスさせて液体等注出部に向かったノッチを穿設したものである。
【０００８】
更には、請求項３に記載の易引裂性の液体等収納袋は、請求項１又は請求項２に記載の易引裂性の液体等収納袋において、ノッチに代えて折線上に小孔を穿設したものである。
【０００９】
加えて、請求項４に記載の易引裂性の液体等収納袋は、請求項１乃至請求項３に記載の易引裂性の液体等収納袋において、液体等収納袋に立てて載置するための底部を設けたスタンディングパウチとしたものである。
【発明の効果】
【００１０】
本発明の易引裂性の液体等収納袋は、液体等収納袋の隣り合う２辺の間に斜めに折線を形成し、折線上に液体等注出部に向かったノッチ又は小孔を穿設したもので、折線を折曲させてノッチ又は小孔の両側を把持して引き裂くことにより、液体等収納部に膨出させた液体等注出部が切断され容易に開封できるもので、幼い子供が悪戯で引き裂いてしまうことがない易引裂性の液体等収納袋を廉価で提供できる画期的で実用性の高い発明である。
【発明を実施するための最良の形態】
【００１１】
以下、本発明の易引裂性の液体等収納袋の実施例の図面によって具体的に説明すると、図１は本発明の易引裂性の液体等収納袋の実施例１を説明するための平面図であり、図２は本発明の易引裂性の液体等収納袋の次実施例１を説明するための平面図であり、図３は本発明の易引裂性の液体等収納袋の実施例２を説明するための平面図であり、図４は本発明の易引裂性の液体等収納袋の実施例３を説明するための平面図である。
【００１２】
本発明は、容易に引き裂くことができる液体等収納袋１に関するものであり、更に詳細には、液体等注出部４ａに向けて折線５上に穿設したノッチ６又は小孔６ａを設けたことにより、ノッチ６又は小孔６ａから引き裂いて容易に注出できる易引裂性の液体等収納袋１に関するものであり、請求項１に記載の易引裂性の液体等収納袋は、２枚の可撓性シート２の外周辺の若干巾を溶着した溶着部３の内方に液体等を収納する液体等収納部４を設けた液体等収納袋１であって、前記液体等収納部４の少なくとも一箇所に膨出させた液体等注出部４ａを設けると共に、前記液体等収納袋１の隣り合う２辺の間の前記溶着部３に折線５を形成し、該折線５とクロスさせて前記液体等注出部４ａに向かったノッチ６を穿設したことを特徴とするものである。
【００１３】
更に、請求項２に記載の易引裂性の液体等収納袋は、１枚の可撓性シート２を折曲させて他の外周辺の若干巾を溶着した溶着部３の内方に液体等を収納する液体等収納部４を設けた液体等収納袋１であって、前記液体等収納部４の少なくとも一箇所に膨出させた液体等注出部４ａを設けると共に、前記液体等収納袋１の隣り合う２辺の間の前記溶着部３に折線５を形成し、該折線５とクロスさせて前記液体等注出部４ａに向かったノッチ６を穿設したことを特徴とするものである。
【００１４】
更には、請求項３に記載の易引裂性の液体等収納袋は、請求項１又は請求項２に記載の易引裂性の液体等収納袋において、前記ノッチ６に代えて折線５上に小孔６ａを穿設したことを特徴とするものである。
【００１５】
加えて、請求項４に記載の易引裂性の液体等収納袋は、請求項１乃至請求項３に記載の易引裂性の液体等収納袋において、前記液体等収納袋１に立てて載置するための底部を設けたスタンディングパウチとしたことを特徴とするものである。
【実施例】
【００１６】
即ち、本発明の易引裂性の液体等収納袋１に収納される液体等とは、販売されている弁当に入れられている醤油、ソース等の液体調味料、或いは、バター、マーガリン、マヨネーズ等の粘性を有した粘性食品、シャンプー、洗剤、化粧品等の液体や粘性を有する液体、及び、胡椒、塩、粉状の入浴剤等の粉体、粒体を収納するものである。
【００１７】
そして、２枚の可撓性シート２は、ビニルフィルム、ポリエチレンフィルム、ポリプロピレンフィルム等のプラスチックフィルムであり、表面には中に収納した液体等の説明、成分、賞味期限等の文字や、商品名、会社名等が印刷され、更には、収納する液体等によってはアルミ箔や他の材質のフィルム等を積層しているものである。
【００１８】
次に、溶着部３は２枚積層した可撓性シート２の４方の外周辺の若干巾を熱溶着等の手段で溶着したもので、液体等収納部４は前記溶着部３の内方に設けたもので、液体等を収納するものである。
【００１９】
次いで、液体等注出部４ａは液体等収納部４の少なくとも一箇所に膨出させ連通させており、切断することで開口して収納されている液体等を注出するものである。
【００２０】
更に、折線５は液体等収納袋１の隣り合う２辺の間の溶着部３に形成しているもので、つまり、一つの角部を折り込むように斜め方向に形成するもので、線又は点線を印刷して表示しても、折曲が容易になるように凹溝を刻設しても構わないものである。
【００２１】
更には、ノッチ６は折線５とクロスさせて液体等注出部４ａに向けて穿設しているもので、図１に図示するように、折線５と略直角にクロスさせても、図２に図示するように、略水平方向でクロスさせても構わないものである。
【００２２】
そして、図３に図示した実施例２では、実施例１の可撓性シート２を１枚としたものであり、つまり、一辺を折曲させた液体等収納袋１であり、他の３辺の外周辺の若干巾を溶着した溶着部３としているものであり、他の構成は実施例１で詳述したことと同じであるので省略するものである。
【００２３】
更に、小孔６ａはノッチ６に代えて折線５上に穿設しているもので、図４に図示するように、液体等注出部４ａに角部を向けた菱形にしても、角部を有した三角形状、矩形状にしても、また、円形状、楕円形状にしてその外周から液体等注出部４ａに向けた短いノッチを形成しても構わないものである。
【００２４】
更には、実施例３では、液体等収納袋１の底面に液体等収納袋１を立設載置できる底部を設けたスタンディングパウチに実施するもので、充填用のシャンプーや洗剤等が収納された比較的大型の液体等収納袋１であり、他の構成は実施例１で詳述したことと同じであるので省略するものである。
【産業上の利用可能性】
【００２５】
本発明の易引裂性の液体等収納袋は、折線を折曲させてノッチ又は小孔の両側を把持して引き裂くことにより、液体等収納部に膨出させた液体等注出部が切断され容易に開封できるもので、幼い子供が悪戯で引き裂いてしまうことがない易引裂性の液体等収納袋を廉価で提供できるものである。
【図面の簡単な説明】
【００２６】
【図１】図１は本発明の易引裂性の液体等収納袋の実施例１を説明するための平面図である。
【図２】図２は本発明の易引裂性の液体等収納袋の次実施例１を説明するための平面図である。
【図３】図３は本発明の易引裂性の液体等収納袋の実施例２を説明するための平面図である。
【図４】図４は本発明の易引裂性の液体等収納袋の実施例３を説明するための平面図である。
【符号の説明】
【００２７】
１      液体等収納袋
２      可撓性シート
３      溶着部
４      液体等収納部
４ａ    液体等注出部
５      折線
６      ノッチ
６ａ    小孔
【図１】
2007153350.tif 000003
【図２】
2007153350.tif 000004
【図３】
2007153350.tif 000005
【図４】
2007153350.tif 000006
【手続補正書】
【提出日】平成19年3月29日(2007.3.29)
【手続補正１】
【補正対象書類名】特許請求の範囲
【補正対象項目名】全文
【補正方法】変更
【補正の内容】
【特許請求の範囲】
【請求項１】
２枚の可撓性シートの外周辺の若干巾を溶着した溶着部の内方に液体等を収納する液体等収納部を設けた液体等収納袋であって、前記液体等収納部の少なくとも一箇所に膨出させた液体等注出部を設けると共に、前記液体等収納袋の隣り合う２辺の間の前記溶着部に折線を形成し、該折線とクロスさせて前記液体等注出部に向かった直線状の切れ目を穿設したことを特徴とする易引裂性の液体等収納袋。
【請求項２】
１枚の可撓性シートを折曲させて他の外周辺の若干巾を溶着した溶着部の内方に液体等を収納する液体等収納部を設けた液体等収納袋であって、前記液体等収納部の少なくとも一箇所に膨出させた液体等注出部を設けると共に、前記液体等収納袋の隣り合う２辺の間の前記溶着部に折線を形成し、該折線とクロスさせて前記液体等注出部に向かった直線状の切れ目を穿設したことを特徴とする易引裂性の液体等収納袋。
【請求項３】
前記液体等収納袋に立てて載置するための底部を設けたスタンディングパウチとしたことを特徴とする請求項１又は請求項２に記載の易引裂性の液体等収納袋。
【手続補正２】
【補正対象書類名】明細書
【補正対象項目名】全文
【補正方法】変更
【補正の内容】
【発明の詳細な説明】
【技術分野】
【０００１】
本発明は、容易に引き裂くことができる液体等収納袋に関するものであり、更に詳細には、液体等注出部に向けて折線上に穿設した直線状の切れ目を設けたことにより、直線状の切れ目から引き裂いて容易に注出できる易引裂性の液体等収納袋に関するものである。
【背景技術】
【０００２】
この種の醤油、ソース等の液体調味料、バター、マーガリン、マヨネーズ等の粘性を有する粘性食品、シャンプー、洗剤、化粧品等の液体や粘性を有する液体、胡椒、塩、粉状の入浴剤等の粉体、粒体を収納して、必要なときに一部を引き裂いて注出するワンウェイの液体等収納袋は各種開発され多方面で使用されている。
【０００３】
従来、一般的には液体等収納袋の外周縁にくの字状の切り込みを入れて、その切り込みから引き裂いていたが、近年では、液体等収納袋の外周縁に極微細な切り込みを連続して多数形成して、何処からでも引き裂ける液体等収納袋も開発されている。
【０００４】
また、先に開示されている、上下二層によるビニル材により上層部ビニル材と下層部ビニル材との間に極薄のプラスチック樹脂材を挿入し、当該プラスチック材は一定部位が撓折することにより内容物が取り出されるよう施し、上下層ビニル材がプラスチック材を挟むよう接着される際に、取り出し口用に一部突出した形を呈した調味料液体等を内包する部分として造られる空洞部を、上層部ビニル材の下面とプラスチック材上面との間に施し、前記屈折される一定部位は前記空洞部の取り出し口部分でプラスチック材が撓折するよう切れ目を施すことで、当該突出空洞部位のみより内容物を排出可能とするもの（特許文献１参照）がある。
【特許文献１】特開平１０−１９４３３３号公報（図７）
【発明の開示】
【発明が解決しようとする課題】
【０００５】
然し乍ら、従来の液体等収納袋の外周縁にく字状の切り込みを入れて、その切り込みから引き裂いて注出するものや、極微細な切り込みを連続して多数形成して液体等収納袋を引き裂いて注出するものでは、幼い子供が悪戯で引き裂いてしまうことが屡々あり、また、上下二層によるビニル材の間に極薄のプラスチック樹脂材を挿入し、当該プラスチック材は一定部位が撓折することにより内容物が取り出されるよう施したものでは、液体等収納袋を製造するときに極薄のプラスチック樹脂材を挿入しなければ成らず、パーツの数が増えることからコスト高と成ると共に、不用意に折って注出される虞れもあるものである。
【課題を解決するための手段】
【０００６】
本発明は、前述の課題に鑑み、鋭意研鑽の結果、請求項１に記載の易引裂性の液体等収納袋は、２枚の可撓性シートの外周辺の若干巾を溶着した溶着部の内方に液体等を収納する液体等収納部を設けた液体等収納袋であって、液体等収納部の少なくとも一箇所に膨出させた液体等注出部を設けると共に、液体等収納袋の隣り合う２辺の間の溶着部に折線を形成し、折線とクロスさせて液体等注出部に向かった直線状の切れ目を穿設したものである。
【０００７】
更に、請求項２に記載の易引裂性の液体等収納袋は、外周辺の若干巾を溶着した溶着部の内方に液体等を収納する液体等収納部を設けた液体等収納袋であって、液体等収納部の少なくとも一箇所に膨出させた液体等注出部を設けると共に、液体等収納袋の隣り合う２辺の間の溶着部に折線を形成し、折線とクロスさせて液体等注出部に向かった直線状の切れ目を穿設したものである。
【０００８】
更には、請求項３に記載の易引裂性の液体等収納袋は、請求項１又は請求項２に記載の易引裂性の液体等収納袋において、液体等収納袋に立てて載置するための底部を設けたスタンディングパウチとしたものである。
【発明の効果】
【０００９】
本発明の易引裂性の液体等収納袋は、液体等収納袋の隣り合う２辺の間に斜めに折線を形成し、折線上に液体等注出部に向かった直線状の切れ目を穿設したもので、折線を折曲させて直線状の切れ目の両側を把持して引き裂くことにより、液体等収納部に膨出させた液体等注出部が切断され容易に開封できるもので、幼い子供が悪戯で引き裂いてしまうことがない易引裂性の液体等収納袋を廉価で提供できる画期的で実用性の高い発明である。
【発明を実施するための最良の形態】
【００１０】
以下、本発明の易引裂性の液体等収納袋の実施例の図面によって具体的に説明すると、図１は本発明の易引裂性の液体等収納袋の実施例１を説明するための平面図であり、図２は本発明の易引裂性の液体等収納袋の次実施例１を説明するための平面図であり、図３は本発明の易引裂性の液体等収納袋の実施例２を説明するための平面図である。
【００１１】
本発明は、容易に引き裂くことができる液体等収納袋１に関するものであり、更に詳細には、液体等注出部４ａに向けて折線５上に穿設した直線状の切れ目６を設けたことにより、直線状の切れ目６から引き裂いて容易に注出できる易引裂性の液体等収納袋１に関するものであり、請求項１に記載の易引裂性の液体等収納袋は、２枚の可撓性シート２の外周辺の若干巾を溶着した溶着部３の内方に液体等を収納する液体等収納部４を設けた液体等収納袋１であって、前記液体等収納部４の少なくとも一箇所に膨出させた液体等注出部４ａを設けると共に、前記液体等収納袋１の隣り合う２辺の間の前記溶着部３に折線５を形成し、該折線５とクロスさせて前記液体等注出部４ａに向かった直線状の切れ目６を穿設したことを特徴とするものである。
【００１２】
更に、請求項２に記載の易引裂性の液体等収納袋は、１枚の可撓性シート２を折曲させて他の外周辺の若干巾を溶着した溶着部３の内方に液体等を収納する液体等収納部４を設けた液体等収納袋１であって、前記液体等収納部４の少なくとも一箇所に膨出させた液体等注出部４ａを設けると共に、前記液体等収納袋１の隣り合う２辺の間の前記溶着部３に折線５を形成し、該折線５とクロスさせて前記液体等注出部４ａに向かった直線状の切れ目６を穿設したことを特徴とするものである。
【００１３】
更には、請求項３に記載の易引裂性の液体等収納袋は、請求項１又は請求項２に記載の易引裂性の液体等収納袋において、前記液体等収納袋１に立てて載置するための底部を設けたスタンディングパウチとしたことを特徴とするものである。
【実施例】
【００１４】
即ち、本発明の易引裂性の液体等収納袋１に収納される液体等とは、販売されている弁当に入れられている醤油、ソース等の液体調味料、或いは、バター、マーガリン、マヨネーズ等の粘性を有した粘性食品、シャンプー、洗剤、化粧品等の液体や粘性を有する液体、及び、胡椒、塩、粉状の入浴剤等の粉体、粒体を収納するものである。
【００１５】
そして、２枚の可撓性シート２は、ビニルフィルム、ポリエチレンフィルム、ポリプロピレンフィルム等のプラスチックフィルムであり、表面には中に収納した液体等の説明、成分、賞味期限等の文字や、商品名、会社名等が印刷され、更には、収納する液体等によってはアルミ箔や他の材質のフィルム等を積層しているものである。
【００１６】
次に、溶着部３は２枚積層した可撓性シート２の４方の外周辺の若干巾を熱溶着等の手段で溶着したもので、液体等収納部４は前記溶着部３の内方に設けたもので、液体等を収納するものである。
【００１７】
次いで、液体等注出部４ａは液体等収納部４の少なくとも一箇所に膨出させ連通させており、切断することで開口して収納されている液体等を注出するものである。
【００１８】
更に、折線５は液体等収納袋１の隣り合う２辺の間の溶着部３に形成しているもので、つまり、一つの角部を折り込むように斜め方向に形成するもので、線又は点線を印刷して表示しても、折曲が容易になるように凹溝を刻設しても構わないものである。
【００１９】
更には、直線状の切れ目６は折線５とクロスさせて液体等注出部４ａに向けて穿設しているもので、図１に図示するように、折線５と略直角にクロスさせても、図２に図示するように、略水平方向でクロスさせても構わないものである。
【００２０】
そして、図３に図示した実施例２では、実施例１の可撓性シート２を１枚としたものであり、つまり、一辺を折曲させた液体等収納袋１であり、他の３辺の外周辺の若干巾を溶着した溶着部３としているものであり、他の構成は実施例１で詳述したことと同じであるので省略するものである。
【００２１】
更には、実施例３では、液体等収納袋１の底面に液体等収納袋１を立設載置できる底部を設けたスタンディングパウチに実施するもので、充填用のシャンプーや洗剤等が収納された比較的大型の液体等収納袋１であり、他の構成は実施例１で詳述したことと同じであるので省略するものである。
【産業上の利用可能性】
【００２２】
本発明の易引裂性の液体等収納袋は、折線を折曲させて直線状の切れ目の両側を把持して引き裂くことにより、液体等収納部に膨出させた液体等注出部が切断され容易に開封できるもので、幼い子供が悪戯で引き裂いてしまうことがない易引裂性の液体等収納袋を廉価で提供できるものである。
【図面の簡単な説明】
【００２３】
【図１】図１は本発明の易引裂性の液体等収納袋の実施例１を説明するための平面図である。
【図２】図２は本発明の易引裂性の液体等収納袋の次実施例１を説明するための平面図である。
【図３】図３は本発明の易引裂性の液体等収納袋の実施例２を説明するための平面図である。
【符号の説明】
【００２４】
１      液体等収納袋
２      可撓性シート
３      溶着部
４      液体等収納部
４ａ    液体等注出部
５      折線
６      ノッチ
【手続補正３】
【補正対象書類名】図面
【補正対象項目名】図４
【補正方法】削除
【補正の内容】